(57)【要約】【課題】分散量検出器を設けることなく、適切な補償分散量を効率的に探索すること。【解決手段】受信機１２３は、データ通信をおこなう前に、所定のビットレートの信号光と、所定のビットレートと異なるビットレートの信号光と、を送信装置１１０から受信する。分散量制御部１２４には、受信機１２３が受信する信号光のビットレートに対応した、可変分散補償器１２２が分散補償をおこなう補償分散量の単位変化量Δが設定されている。分散量制御部１２４は、可変分散補償器１２２を制御して、設定された単位変化量Δずつ補償分散量を変化させ、受信機１２３が受信する信号光毎に所定の補償分散量を探索する。分散量制御部１２４は、所定の補償分散量を探索した結果に基づいて、データ通信をおこなう場合に送信装置１１０から受信する信号光に対して可変分散補償器１２２が分散補償をおこなうための補償分散量を求める。【選択図】図１
2008098975.tif 000002
【特許請求の範囲】
【請求項１】
複数のビットレートを送信可能な送信装置からの信号光を受信可能な受信装置であって、
入力信号光に対し、波長分散を補償する分散補償手段と、
前記分散補償手段の出力を光電変換し信号を受信するとともに、前記入力信号光のビットレートを検出する受信手段と、
前記受信手段の信号受信結果および検出されたビットレートに基づき、前記分散補償手段の分散量を制御する分散量制御手段と、
を備え、
前記分散量制御手段は、前記検出されたビットレートに応じた単位変化量Δ毎に前記分散補償手段の分散量を変化させることを特徴とする受信装置。
【請求項２】
データ通信をおこなう場合の運用ビットレートよりも低いビットレートの信号光を受信し、前記分散量制御手段が当該信号光に対する前記分散量を制御した後、前記運用ビットレートの信号光を受信することを特徴とする請求項１に記載の受信装置。
【請求項３】
受信装置に対して複数のビットレートの信号光を送信可能な送信手段と、
前記送信手段が送信する前記信号光のビットレートを制御するビットレート制御手段と、
を備え、
前記ビットレート制御手段は、前記データ通信をおこなう場合の運用ビットレートよりも低いビットレートの信号光を送信し、前記受信装置が当該信号光に対する分散量を制御した後に、前記運用ビットレートの信号光を送信するように前記送信手段を制御することを特徴とする送信装置。
【請求項４】
複数のビットレートを送信可能な送信装置からの信号光を受信する受信方法であって、
入力信号光に対し、波長分散を補償する分散補償工程と、
前記分散補償工程による出力を光電変換し信号を受信するとともに、前記入力信号光のビットレートを検出する受信工程と、
前記受信工程による信号受信結果および検出されたビットレートに基づき、前記入力信号光に対する分散量を制御する分散量制御工程と、
を含み、
前記分散制御工程では、前記検出されたビットレートに応じた単位変化量Δ毎に前記信号光に対する分散量を変化させることを特徴とする受信方法。
【請求項５】
受信装置に対して、データ通信をおこなう場合の運用ビットレートよりも低いビットレートの信号光を送信する第１の送信工程と、
前記第１の送信工程によって送信した前記信号光に対して前記受信装置が分散補償を行った後に、前記運用ビットレートの信号光を送信する第２の送信工程と、
を含むことを特徴とする送信方法。
【発明の詳細な説明】
【技術分野】
【０００１】
この発明は、光ファイバ通信において、波長分散によって波形が劣化した信号光に対して分散補償をおこなう受信装置、送信装置、受信方法および送信方法に関する。
【背景技術】
【０００２】
光ファイバ通信において、１０Ｇｂ／ｓを超える伝送速度で長距離伝送をおこなうと波長分散によって波形が劣化し、受信側でデータを正確に復調できなくなるという問題がある。そのため、一般的に、受信側では、分散補償ファイバ（ＤＣＦ：Ｄｉｓｐｅｒｓｉｏｎ  Ｃｏｍｐｅｎｓａｔｉｎｇ  Ｆｉｂｅｒ）を利用して分散補償をおこなうことでデータの正確な復調を可能としている。
【０００３】
また、発生する波長分散の量は光伝送路の距離によって変わるため、ＤＣＦを用いた分散補償では、補償する分散量の異なる複数のＤＣＦユニット（ＤＣＦをモジュール化したユニット）を用意し、光伝送路の距離に応じてＤＣＦユニットを選択して分散補償をおこなっている。しかし、１０Ｇｂ／ｓを超える光伝送では許容できる波長分散の幅（分散トレランス）が狭くなるため、数十ｐｓ単位の分散補償が必要である。このため、用意する必要のあるＤＣＦユニットの種類が多くなり、１０Ｇｂ／ｓを超える光伝送ではＤＣＦだけを用いた分散補償は現実的でない。
【０００４】
このことから、１０Ｇｂ／ｓを超える光伝送では、一般的に、ＤＣＦによる分散補償だけではなく、補償分散量を変化させることが可能な可変分散補償器も併せて用いられている（たとえば、下記特許文献１参照。）。可変分散補償器は、たとえば、光路の長さや光ファイバの温度を制御することによって補償分散量を変化させることができる。
【０００５】
可変分散補償器を用いて分散補償をおこなう場合、適切な補償分散量を設定する必要がある。これに対して、分散量検出器を設けることによって適切な補償分散量を検出する方法（たとえば、下記特許文献２参照。）や、補償分散量を変化させながらクロック抽出状態やエラー状態を監視して適切な補償分散量を探索する方法がある。
【０００６】
【特許文献１】特開２００３−２７３８０４号公報
【特許文献２】特開平１１−８８２６１号公報
【発明の開示】
【発明が解決しようとする課題】
【０００７】
しかしながら、分散量検出器を設ける方法をとると、分波器を用いて信号光を分波する必要があり、受信側での信号光の入力レベルが低下して伝送可能距離が短縮するという問題がある。また、分散量検出器や分波器に加えて、分散量検出器で用いるクロック検出器などがさらに必要となり、装置全体の部品数が増加するという問題がある。
【０００８】
また、補償分散量を変化させながらクロック抽出状態やエラー状態を監視して適切な補償分散量を探索する方法では、伝送距離が長くなるほど必要な補償分散量が増加するため、適切な補償分散量を探し出すまでの時間が長くなる。このため、光伝送装置が立ち上がってからデータ通信を開始するまでに要する時間が長くなるという問題がある。
【０００９】
この発明は、上記の問題点を解消するため、分散量検出器を設けることなく、適切な補償分散量を効率的に探索できる受信装置、送信装置、受信方法および送信方法を提供することを目的とする。
【課題を解決するための手段】
【００１０】
上述した課題を解決し、目的を達成するため、本発明にかかる受信装置は、複数のビットレートを送信可能な送信装置からの信号光を受信可能な受信装置であって、入力信号光に対し、波長分散を補償する分散補償手段と、前記分散補償手段の出力を光電変換し信号を受信するとともに、前記入力信号光のビットレートを検出する受信手段と、前記受信手段の信号受信結果および検出されたビットレートに基づき、前記分散補償手段の分散量を制御する分散量制御手段と、を備え、前記分散量制御手段は、前記検出されたビットレートに応じた単位変化量Δ毎に前記分散補償手段の分散量を変化させることを特徴とする。
【００１１】
また、本発明にかかる送信装置は、受信装置に対して複数のビットレートの信号光を送信可能な送信手段と、前記送信手段が送信する前記信号光のビットレートを制御するビットレート制御手段と、備え、前記ビットレート制御手段は、前記データ通信をおこなう場合の運用ビットレートよりも低いビットレートの信号光を送信し、前記受信装置が当該信号光に対する分散量を制御した後に、前記運用ビットレートの信号光を送信するように前記送信手段を制御することを特徴とする。
【発明の効果】
【００１２】
本発明によれば、分散量検出器を設けることなく、適切な補償分散量を効率的に探索することができるという効果を奏する。
【発明を実施するための最良の形態】
【００１３】
以下に添付図面を参照して、この発明にかかる受信装置、送信装置、受信方法および送信方法の好適な実施の形態を詳細に説明する。
【００１４】
（実施の形態１）
（実施の形態１にかかる光伝送システムの基本的構成）
まず、実施の形態１にかかる光伝送システムの基本的構成について説明する。図１は、実施の形態１にかかる光伝送システムの基本的構成を示すブロック図である。図１に示すように、光伝送システム１００は、送信側の光伝送装置（以下、「送信装置」という）１１０と、受信側の光伝送装置（以下、「受信装置」という）１２０と、伝送路１３０と、から構成されている。
【００１５】
送信装置１１０は、送信機１１１と、ビットレート制御部１１２と、合波器１１３と、から構成されている。送信機１１１はここでは複数設けられている。送信機１１１は、送信する情報に対応する電気信号を信号光に変換して送信する。送信機１１１には、ビットレート制御部１１２の制御によって、異なるビットレートの信号光を切り替えて送信することができるマルチレートタイプの送信機を用いる。各送信機１１１から送信される信号光は、合波器１１３によって多重化され、送信される。
【００１６】
各送信機１１１はそれぞれ波長の異なる信号光を送信する。合波器１１３は、各送信機１１１が送信する信号光を合波し、波長多重する
【００１７】
受信装置１２０は、分波器１２１と、可変分散補償器１２２と、受信機１２３と、分散量制御部１２４と、から構成されている。分波器１２１は、波長多重信号光を元の複数の信号光に多重分離する。
【００１８】
可変分散補償器１２２は、波長分散によって波形が劣化した信号光に対して分散補償をおこなう。可変分散補償器１２２は、受信機１２３のそれぞれについて複数設けられている。
【００１９】
伝送信号光の受ける波長分散量は伝送距離や温度などによって変化する。これに対応するため、可変分散補償器１２２は、後述の分散量制御部１２４の制御によって補償分散量を変化させることができる。可変分散補償器１２２は、たとえば、ＦＢＧ（Ｆｉｂｅｒ  Ｂｒａｇｇ  Ｇｒａｔｉｎｇ）、ＶＩＰＡ（Ｖｉｒｔｕａｌｌｙ  Ｉｍａｇｅｄ  Ｐｈａｓｅｄ  Ａｒｒａｙ）板、リング共振器などを用いて実現することができる。
【００２０】
受信機１２３は、送信装置１１０から送信された信号光を電気信号に変換する。信号光を電気信号に変換するために、受信機１２３において、信号光のクロック抽出が行われる。受信機１２３は、送信装置１１０の送信機１１１と同じ数だけ備えられている。受信機１２３には、送信装置１１０から送信される複数種類のビットレートの信号光を受信することができるマルチレートタイプの受信機を用いる。複数種類のビットレートの信号光を受信可能な受信機１２３においては、各信号光のクロック抽出が可能であるから、信号光のビットレートについても検出することができる。
【００２１】
分散量制御部１２４は、可変分散補償器１２２を制御して補償分散量を所定の変化単位量Δずつ変化させる。また、分散量制御部１２４は、補償分散量を単位変化量Δずつ変化させながら、受信機１２３のクロック抽出状態または受信機１２３の信号光の受信状態を監視することで、適切な補償分散量を探索する。
【００２２】
ここで、可変分散補償器１２２および受信機１２３は複数あるが、分散量制御部１２４は、受信機１２３の監視をそれぞれ独立しておこない、各受信機１２３に対応した可変分散補償器１２２をそれぞれ独立して制御する。すなわち、分散量制御部１２４は、送信装置１１０から受信した波長の異なる複数の信号光のそれぞれに対して、適切な補償分散量を探索する。
【００２３】
分散量制御部１２４は、信号光の受信状態として、たとえば、受信機１２３が受信した信号光のビット誤り率（ＢＥＲ：Ｂｉｔ  Ｅｒｒｏｒ  Ｒａｔｅ）を監視する。ＢＥＲを監視するためには、受信した信号光の誤りを検出する必要がある。誤り検出には、パリティ検査方式や巡回符号（ＣＲＣ：Ｃｙｃｌｉｃ  Ｒｅｄｕｎｄａｎｃｙ  Ｃｈｅｃｋ）方式などの各種方式を用いることができる。
【００２４】
なお、ここでは送信装置１１０から受信装置１２０への片方向の光伝送について説明したが、別の伝送路を用いた両方向、同じ伝送路による双方向の光伝送をおこなうことも可能である。
【００２５】
また、送信装置１１０の送信機１１１は一つであってもよい。この場合、合波器１１３と、受信装置１２０の分波器１２１と、を省くことも可能である。また、この場合、受信装置１２０の可変分散補償器１２２および受信機１２３もそれぞれ一つでよい。
【００２６】
（実施の形態１にかかる光伝送システムの処理の概要）
つぎに、実施の形態１にかかる光伝送システムの処理の概要について説明する。図２は、実施の形態１にかかる光伝送システムの処理の概要を示すシーケンス図である。以下の説明では、送信装置１１０が送信する信号光のビットレートはビットレートＡ、Ｂ、Ｃの順に高くなる。所定のビットレートＣは、実際にデータ通信をおこなう際の運用ビットレートおよび運用ビットレートに近いビットレートであるとする。
【００２７】
図２に示すように、まず、送信装置１１０が、受信装置１２０に対して、ビットレートＡで信号光を送信する（ステップＳ２０１）。つぎに、受信装置１２０が、補償分散量を単位変化量Δａで変化させながら適切な補償分散量を探索する（ステップＳ２０２）。ここで、Δａは、ビットレートＡの信号光について分散量制御部１２４が適切な補償分散量を探索する際に、補償分散量を一度に変化させる単位変化量Δである。同様に、ビットレートＢ、Ｃの場合の単位変化量ΔをそれぞれΔｂ、Δｃとする。
【００２８】
つぎに、送信装置１１０が、ステップＳ２０１から時間ｈ（Ａ）が経過するのを待って、ビットレートＢで信号光を送信する（ステップＳ２０３）。ここで、時間ｈ（Ａ）は、たとえば、分散量制御部１２４がビットレートＡにおける適切な補償分散量を探索するために必要な時間を確保できる時間ｈとする。時間ｈ（Ａ）は、具体的には、たとえばｈ＝（ｔ１＋ｔ２）×（Ｘ／Δａ）とする。
【００２９】
ここで、Ｘは、可変分散補償器１２２の補償分散量の最大補償分散量である。ｔ１は、分散量制御部１２４が補償分散量を単位変化量Δａだけ変化させるために必要な時間である。ｔ２は、ある一定の補償分散量のときにＢＥＲがしきい値より低いか否かを分散量制御部１２４が判断するために必要な時間である。また、ビットレートＢ、Ｃの際の時間ｈをそれぞれｈ（Ｂ）、ｈ（Ｃ）とする。
【００３０】
つぎに、受信装置１２０が、補償分散量を単位変化量Δｂで変化させながら適切な補償分散量を探索する（ステップＳ２０４）。Δｂは、Δａよりも小さい単位変化量Δである。つぎに、送信装置１１０が、ステップＳ２０３から時間ｈ（Ｂ）が経過するのを待って、ビットレートＣ（運用ビットレート）で信号光を送信する（ステップＳ２０５）。
【００３１】
つぎに、受信装置１２０が、補償分散量を単位変化量Δｃで変化させながら適切な補償分散量を探索する（ステップＳ２０６）。Δｃは、ΔａおよびΔｂよりも小さい単位変化量Δである。つぎに、送信装置１１０が、ステップＳ２０５から時間ｈ（Ｃ）が経過するのを待って、データ通信を開始し（ステップＳ２０７）、本発明における一連の処理を終了する。このように、送信装置１１０は、時間ｈが経過する毎に送信する信号光を切り替える。
【００３２】
また、分散量制御部１２４は、受信機１２３が受信する信号光のビットレートに対応して設定された単位変化量Δずつ補償分散量を変化させる。単位変化量Δは、具体的には、送信装置１１０から送信される信号光のビットレートが高くなるほど小さくなるように分散量制御部１２４に設定されている。
【００３３】
また、分散量制御部１２４は、ビットレートＣの信号光について適切な補償分散量を探索した結果に基づいて、実際のデータ通信をおこなう場合に送信装置１１０から受信する信号光に対して分散補償をおこなうための補償分散量を求める。
【００３４】
なお、ここでは信号光のビットレートをＡ、Ｂ、Ｃと変化させる場合について説明したが、ビットレートの変化は３段階のものに限られない。たとえば、ビットレートの変化は、低ビットレート、運用ビットレートの２段階に設定してもよいし、４段階以上に設定してもよい。
【００３５】
（実施の形態１にかかる送信装置の処理の手順）
つぎに、実施の形態１にかかる送信装置１１０の処理の手順について説明する。図３は、実施の形態１にかかる送信装置の処理の手順を示すフローチャートである。図３に示すように、まず、送信機１１１が、運用ビットレートよりも低いビットレート（たとえば、ビットレートＡ）で信号光を送信する（ステップＳ３０１）。つぎに、ビットレート制御部１１２が、所定の時間ｈ（たとえば、ｈ（Ａ））が経過するのを待つ（ステップＳ３０２：Ｎｏのループ）。
【００３６】
所定の時間ｈが経過すると（ステップＳ３０２：Ｙｅｓ）、ビットレート制御部１１２は、そのときに送信機１１１が送信している信号光のビットレートがデータ通信をおこなう際の運用ビットレート（ビットレートＣ）であるか否かを判断する（ステップＳ３０３）。ビットレートが運用ビットレートでない場合（ステップＳ３０３：Ｎｏ）、ビットレート制御部１１２は送信機１１１を制御して、そのときのビットレートよりも高いビットレート（たとえば、ビットレートＢあるいはＣ）によって信号光を送信する（ステップＳ３０４）。そして、ステップＳ３０２に戻って処理を続行する。
【００３７】
ステップＳ３０３において、ビットレートが運用ビットレートである場合（ステップＳ３０３：Ｙｅｓ）、送信機１１１が、データ通信を開始し（ステップＳ３０５）、本発明における一連の処理を終了する。
【００３８】
（実施の形態１にかかる受信装置の処理の手順）
つぎに、実施の形態１にかかる受信装置１２０の処理の手順について説明する。図４は、実施の形態１にかかる受信装置の処理の手順を示すフローチャートである。図４に示すように、まず、受信機１２３が、送信装置１１０から送信される信号光を受信する（ステップＳ４０１）。
【００３９】
つぎに、分散量制御部１２４が、受信した信号光のクロックが抽出されたか否かを判断する（ステップＳ４０２）。クロックが抽出されていない場合（ステップＳ４０２：Ｎｏ）、分散量制御部１２４は可変分散補償器１２２を制御して、信号光に対する補償分散量を、信号光のビットレートに対応した単位変化量Δ（たとえば、Δａ）だけ変化させる（ステップＳ４０３）。そして、ステップＳ４０２に戻って処理を続行する。
【００４０】
ステップＳ４０２において、クロックが抽出された場合（ステップＳ４０２：Ｙｅｓ）、分散量制御部１２４は、受信した信号光のＢＥＲが所定のしきい値よりも低いか否かを判断する（ステップＳ４０４）。ＢＥＲがしきい値以上である場合（ステップＳ４０４：Ｎｏ）、分散量制御部１２４は可変分散補償器１２２を制御して、信号光に対する補償分散量を単位変化量Δ（たとえば、Δａ）だけ変化させる（ステップＳ４０５）。そして、ステップＳ４０４に戻って処理を続行する。
【００４１】
ステップＳ４０４において、ＢＥＲがしきい値よりも低い場合（ステップＳ４０４：Ｙｅｓ）、分散量制御部１２４は、所定の時間ｈ（たとえば、ｈ（Ａ））が経過するのを待つ（ステップＳ４０６：Ｎｏのループ）。所定の時間ｈが経過すると（ステップＳ４０６：Ｙｅｓ）、分散量制御部１２４は、受信した信号光のビットレートが運用ビットレート（ビットレートＣ）であるか否かを判断する（ステップＳ４０７）。
【００４２】
ステップＳ４０７において、ビットレートが運用ビットレートでない場合（ステップＳ４０７：Ｎｏ）、分散量制御部１２４は可変分散補償器１２２を制御して、信号光に対する補償分散量を一度に変化させる単位変化量Δを小さくする（たとえば、ΔｂあるいはΔｃ）（ステップＳ４０８）。そして、ステップＳ４０２に戻って処理を続行する。ビットレートが運用ビットレートである場合（ステップＳ４０７：Ｙｅｓ）、送信装置１１０とのデータ通信を開始し（ステップＳ４０９）、本発明における一連の処理を終了する。
【００４３】
（補償分散量の探索処理の具体例）
つぎに、受信装置１２０の分散量制御部１２４が適切な補償分散量を探索する処理の具体例を説明する。図５は、分散量制御部が適切な補償分散量を探索する処理の具体例を説明する説明図である。図５の曲線５０１（５０１ａ〜５０１ｃ）は、それぞれ、送信装置１１０から送信される信号光のビットレートがＡ、Ｂ、Ｃの場合の補償分散量とＢＥＲとの関係を示している。
【００４４】
符号５０２は、あらかじめ定められた一定のしきい値を示す。図５から分かるように、送信装置１１０から送信される信号光のビットレートがＡ、Ｂ、Ｃと高くなるほど、ＢＥＲが一定のしきい値５０２よりも低くなるために必要な補償分散量の幅（分散トレランス）が狭くなる。
【００４５】
まず、ビットレートＡの場合、分散量制御部１２４は、補償分散量を０に設定して（ステップａ−１）、ＢＥＲと所定のしきい値５０２とを比較する。この場合、ＢＥＲがしきい値５０２より高いため、分散量制御部１２４は、可変分散補償器１２２の補償分散量を単位変化量Δａ（ビットレートＡに対応）だけ変化させる（ステップａ−２）。
【００４６】
この場合も、ＢＥＲがしきい値５０２よりも高いため、分散量制御部１２４は、可変分散補償器１２２の補償分散量を変化幅Δａだけさらに変化させる（ステップａ−３）。この場合、ＢＥＲがしきい値５０２よりも低くなったため、分散量制御部１２４は、現在の補償分散量α（Δａ×２に相当）を保持し、ビットレートＡにおける補償分散量の探索を終了する。
【００４７】
つぎに、ビットレートがＢに変化した場合、現在の補償分散量αにおけるＢＥＲを判断する（ステップｂ−１）。この場合、ＢＥＲがしきい値５０２より高いため、分散量制御部１２４は、可変分散補償器１２２の補償分散量を単位変化量Δｂ（ビットレートＢに対応。Δａより小さい）だけ変化させる（ステップｂ−２）。
【００４８】
その後もビットレートＡの場合について説明したように、分散量制御部１２４は、補償分散量を変化幅Δｂずつ変化させ、その都度ＢＥＲがしきい値５０２より低いか否かを判断する。ここでは、補償分散量αよりもさらにΔｂ×３だけ変化させたとき（ステップｂ−４）に初めてＢＥＲがしきい値５０２より低くなるため、分散量制御部１２４は、現在の補償分散量β（Δａ×２＋Δｂ×３に相当）を保持し、ビットレートＢにおける補償分散量の探索を終了する。
【００４９】
つぎに、ビットレートがＣに変化した場合も、ビットレートＡの場合またはビットレートＢの場合について説明したように、分散量制御部１２４は、補償分散量を単位変化量Δｃ（ビットレートＣに対応、Δｂより小さい）だけ変化させながらその都度ＢＥＲがしきい値５０２より低いか否かを判断する（ステップｃ−１〜ステップｃ−３）。
【００５０】
この場合、補償分散量βよりもさらにΔｃ×２だけ変化させたとき（ステップｃ−３）に初めてＢＥＲがしきい値５０２より低くなる。ここで、ビットレートＣは運用ビットレートであるため、分散量制御部１２４は、現在の補償分散量γ（Δａ×２＋Δｂ×３＋Δｃ×２に相当）を最終的な補償分散量として設定し、補償分散量の探索を終了する。
【００５１】
このように、分散量制御部１２４は、送信装置１１０から順次送信されるビットレートの異なる信号光毎に適切な補償分散量を探索する。また、送信装置１１０から順次送信されるビットレートが変化する毎に、ビットレートが変化する前に適切な補償分散量を探索した結果に基づいて、ビットレートが変化した後の適切な補償分散量を探索することで、効率よく最終的な補償分散量を探索することができる。
【００５２】
また、分散量制御部１２４は、補償分散量を単位変化量Δずつ変化させ、ＢＥＲが最初にしきい値５０２よりも低くなった時点の補償分散量を適切な補償分散量として探索することで、一のビットレートの信号光における適切な補償分散量を効率的に探索することができる。
【００５３】
なお、ここではそれぞれのビットレートにおいてＢＥＲが初めてしきい値５０２よりも低くなった時点で適切な補償分散量の探索を終了したが、分散量制御部１２４は、この時点で終了せずに、ＢＥＲがさらに低くなる補償分散量を探索してもよい。たとえば、分散量制御部１２４は、運用ビットレートにおいて、補償分散量をさらにΔｃ（あるいはΔｃよりもさらに小さい変化単位量Δｄ）ずつ変化させながらその都度ＢＥＲを判定することで、ＢＥＲがさらに低くなる補償分散量を探索することができる。
【００５４】
また、ここでは、分散量制御部１２４は、所定のしきい値５０２を一定の値に固定したまま適切な補償分散量を探索したが、しきい値５０２を変化させながら適切な補償分散量を探索してもよい。たとえば、あるビットレートにおける適切な補償分散量の探索に失敗した場合、すなわち、可変分散補償器１２２の最大補償分散量Ｘまで補償分散量を変化させたにも拘わらずＢＥＲが一度もしきい値５０２より低くならなかった場合、分散量制御部１２４は、しきい値５０２をより高い値に設定して適切な補償分散量の探索を再度おこなってもよい。
【００５５】
以上説明した、本発明の実施の形態１にかかる光伝送システム１００によれば、最初は運用ビットレートよりも低いビットレートの信号光によって適切な補償分散量を大まかに探索し、その後運用ビットレートの信号光によって適切な補償分散量を高い精度で探索することができる。このため、分散量検出器を設けることなく、適切な補償分散量を効率的に探索することができる。
【００５６】
（実施の形態２）
（実施の形態２にかかる光伝送システムの基本的構成）
つぎに、実施の形態２にかかる光伝送システムの基本的構成について説明する。図６は、実施の形態２にかかる光伝送システムの基本的構成を示すブロック図（その１）である。なお、実施の形態２にかかる光伝送システムの構成のうち、実施の形態１にかかる光伝送システム１００と同様の構成については、図１と同一の符号を付して説明を省略する。
【００５７】
図６に示すように、光伝送システム６００は、送信装置６１０と、受信装置６２０と、伝送路１３０と、伝送路６３０と、から構成されている。送信装置６１０は、送信機１１１と、ビットレート制御部１１２と、合波器１１３と、監視用受信機６１１と、から構成されている。監視用受信機６１１は、後述する受信装置６２０の監視用送信機６２１から送信される探索終了信号を伝送路６３０を介して受信する。また、監視用受信機６１１は、探索終了信号を受信すると、この探索終了信号をビットレート制御部１１２に出力する。
【００５８】
ビットレート制御部１１２は、実施の形態１においては所定の時間ｈが経過する毎に送信機１１１が送信する信号光のビットレートを変化させていたが、実施の形態２においては監視用受信機６１１から探索終了信号を入力する毎にこのビットレートを変化させる。
【００５９】
受信装置６２０は、分波器１２１と、可変分散補償器１２２と、受信機１２３と、分散量制御部１２４と、監視用送信機６２１と、から構成されている。監視用送信機６２１は、分散量制御部１２４があるビットレートでの適切な補償分散量の探索を終了すると、送信装置６１０に対して探索終了信号を伝送路６３０を介して送信する。
【００６０】
（実施の形態２にかかる光伝送システムの処理の概要）
つぎに、実施の形態２にかかる光伝送システム６００の処理の概要について説明する。図７は、実施の形態２にかかる光伝送システムの処理の概要を示すシーケンス図である。図７に示すように、まず、送信装置６１０が、受信装置６２０に対して、ビットレートＡで信号光を送信する（ステップＳ７０１）。つぎに、受信装置６２０が、補償分散量を単位変化量Δａで変化させながら適切な補償分散量を探索する（ステップＳ７０２）。
【００６１】
つぎに、受信装置６２０が、送信装置６１０に対して、探索終了信号を送信する（ステップＳ７０３）。つぎに、送信装置６１０が、ビットレートＢで信号光を送信する（ステップＳ７０４）。つぎに、受信装置６２０が、補償分散量を単位変化量Δｂで変化させながら適切な補償分散量を探索する（ステップＳ７０５）。
【００６２】
つぎに、受信装置６２０が、送信装置６１０に対して、探索終了信号を送信する（ステップＳ７０６）。つぎに、送信装置６１０が、ビットレートＣ（運用ビットレート）で信号光を送信する（ステップＳ７０７）。つぎに、受信装置６２０が、補償分散量を単位変化量Δｃで変化させながら適切な補償分散量を探索する（ステップＳ７０８）。
【００６３】
つぎに、受信装置６２０が、送信装置６１０に対して、探索終了信号を送信する（ステップＳ７０９）。つぎに、送信装置６１０が、受信装置６２０とのデータ通信を開始し（ステップＳ７１０）、本発明における一連の処理を終了する。このように、受信装置６２０が、適切な補償分散量を探索した後に送信装置６１０に対して探索終了信号を送信することで、送信装置６１０は探索終了信号を受信した後すぐにビットレートを変化させることができる。このように、送信装置６１０は、受信装置６２０から探索終了信号を受信する毎に送信する信号光を切り替える。
【００６４】
なお、ここでは信号光のビットレートをＡ、Ｂ、Ｃと変化させる場合について説明したが、ビットレートの変化はこのような３段階のものに限られない。たとえば、ビットレートの変化は、低ビットレート、運用ビットレートの２段階に設定してもよいし、４段階以上に設定してもよい。
【００６５】
（実施の形態２にかかる送信装置の処理の手順）
つぎに、実施の形態２にかかる送信装置６１０の処理の手順について説明する。図８は、実施の形態２にかかる送信装置の処理の手順を示すフローチャートである。図８に示すように、まず、送信機１１１が、低ビットレート（たとえば、ビットレートＡ）で信号光を送信する（ステップＳ８０１）。
【００６６】
つぎに、ビットレート制御部１１２が、受信装置６２０から探索終了信号を受信するまで待つ（ステップＳ８０２：Ｎｏのループ）。探索終了信号を受信すると（ステップＳ８０２：Ｙｅｓ）、ビットレート制御部１１２は、そのときに送信機１１１が送信している信号光のビットレートがデータ通信をおこなう際の運用ビットレート（ビットレートＣ）であるか否かを判断する（ステップＳ８０３）。
【００６７】
ステップＳ８０３において、ビットレートが運用ビットレートでない場合（ステップＳ８０３：Ｎｏ）、ビットレート制御部１１２は送信機１１１を制御して、そのときのビットレートよりも高いビットレート（たとえば、ビットレートＢあるいはＣ）によって信号光を送信する（ステップＳ８０４）。そして、ステップＳ８０２に戻って処理を続行する。
【００６８】
ステップＳ８０３において、ビットレートが運用ビットレートである場合（ステップＳ８０３：Ｙｅｓ）、受信装置６２０とのデータ通信を開始し（ステップＳ８０５）、本発明における一連の処理を終了する。
【００６９】
（実施の形態２にかかる受信装置の処理の手順）
つぎに、実施の形態２にかかる受信装置６２０の処理の手順について説明する。図９は、実施の形態２にかかる受信装置の処理の手順を示すフローチャートである。図９に示すように、まず、受信機１２３が、送信装置６１０から送信される信号光を受信する（ステップＳ９０１）。
【００７０】
つぎに、分散量制御部１２４が、受信した信号光のクロックが抽出されたか否かを判断する（ステップＳ９０２）。クロックが抽出されていない場合（ステップＳ９０２：Ｎｏ）、分散量制御部１２４は可変分散補償器１２２を制御して、信号光に対する補償分散量を、信号光に対応した単位変化量Δ（たとえば、Δａ）だけ変化させる（ステップＳ９０３）。そして、ステップＳ９０２に戻って処理を続行する。
【００７１】
ステップＳ９０２において、クロックが抽出された場合（ステップＳ９０２：Ｙｅｓ）、分散量制御部１２４は、受信した信号光のＢＥＲが所定のしきい値５０２よりも低いか否かを判断する（ステップＳ９０４）。ＢＥＲがしきい値５０２以上である場合（ステップＳ９０４：Ｎｏ）、分散量制御部１２４は可変分散補償器１２２を制御して、信号光に対する補償分散量を単位変化量Δ（たとえば、Δａ）だけ変化させる（ステップＳ９０５）。そして、ステップＳ９０４に戻って処理を続行する。
【００７２】
ステップＳ９０４において、ＢＥＲがしきい値５０２より低い場合（ステップＳ９０４：Ｙｅｓ）、監視用送信機６２１が、送信装置６１０に対して探索終了信号を送信する（ステップＳ９０６）。つぎに、分散量制御部１２４は、受信した信号光のビットレートが運用ビットレート（ビットレートＣ）であるか否かを判断する（ステップＳ９０７）。
【００７３】
ステップＳ９０７において、ビットレートが運用ビットレートでない場合（ステップＳ９０７：Ｎｏ）、分散量制御部１２４は、信号光に対する補償分散量を一度に変化させる単位変化量Δを小さくする（たとえば、ΔｂあるいはΔｃ）（ステップＳ９０８）。そして、ステップＳ９０２に戻って処理を続行する。ビットレートが運用ビットレートである場合（ステップＳ９０７：Ｙｅｓ）、送信装置６１０とのデータ通信を開始し（ステップＳ９０９）、本発明における一連の処理を終了する。なお、補償分散量の探索処理の具体例については、実施の形態１で説明した通り（図５参照）であるので、ここでは説明を省略する。
【００７４】
以上説明した、実施の形態２にかかる光伝送システム６００によれば、受信装置６２０があるビットレートでの適切な補償分散量の探索を終了すると送信装置６１０に探索終了信号を送信するため、送信装置６１０はこの探索終了信号を受信した後すぐにビットレートを変化させることができる。このため、送信装置６１０が信号光のビットレートを変化させるまでの時間を必要最小限にすることができ、適切な補償分散量を効率的に探索することができる。
【００７５】
なお、実施の形態２の説明においては、受信装置６２０は、送信機１１１から送信された信号光に対して補償分散量を変化させながらＢＥＲを監視することで適切な補償分散量を探索する構成とした。これに対して、送信装置６１０は監視用送信機をさらに備え、受信装置６２０はこの監視用送信機から送信される信号光を用いて適切な補償分散量を探索する構成とすることもできる。
【００７６】
ここで、この構成を実施の形態２の光伝送システム６００で実現した例を説明する。図１０は、実施の形態２にかかる光伝送システムの基本的構成を示すブロック図（その２）である。送信装置６１０は、実施の形態２の上述した構成に加えて、監視用送信機１００１を備える。監視用送信機１００１は、ビットレート制御部１１２の制御によって、伝送路１３０および伝送路６３０とは異なる伝送路１００２を介して信号光を受信装置６２０に送信する。
【００７７】
ビットレート制御部１１２は、上述の送信機１１１に対する制御と同様の制御を監視用送信機１００１に対しておこなう。すなわち、ビットレート制御部１１２は監視用送信機１００１を制御して、まず、データ通信をおこなう際の運用ビットレートよりも低いビットレートで信号光を送信する。そして、ビットレート制御部１１２は、送信する信号光のビットレートを順次上げていき、最終的にビットレートが運用ビットレートとなるように監視用送信機１００１を制御する。ビットレート制御部１１２は、監視用受信機６１１から探索終了信号を入力する毎にビットレートを変化させる。
【００７８】
受信装置６２０は、実施の形態２の上記構成に加えて、可変分散補償器１００３と、監視用受信機１００４と、分散量制御部１００５と、を備える。可変分散補償器１００３と、監視用受信機１００４と、分散量制御部１００５と、の機能は、それぞれ上述した可変分散補償器１２２と、受信機１２３と、分散量制御部１２４と、の機能と同様であるため詳細な説明は省略する。
【００７９】
すなわち、可変分散補償器１００３は、分散量制御部１００５の制御によって送信装置６１０から送信された信号光に対して分散補償をおこなう。分散量制御部１００５は、可変分散補償器１００３を制御して補償分散量を変化させながら、監視用受信機１００４が受信する信号光のＢＥＲを監視することによって適切な補償分散量を探索する。また、分散量制御部１００５は、あるビットレートにおいて適切な補償分散量を探索すると、監視用送信機６２１に対して探索終了信号を送信する。ここで、分散量制御部１００５は、分散量制御部１２４と別に構成したが、これらは一体的に構成してもよい。
【００８０】
以上説明したように光伝送システム６００を構成することによって、送信機１１１が送信し、データ通信に用いられる信号光（以下、「主信号」という）によってではなく、監視用送信機１００１が送信し、光伝送の制御に用いる信号光（以下、「監視用信号」という）によっても適切な補償分散量の探索をおこなうことができる。
【００８１】
なお、送信装置６１０が送信する信号光が低ビットレート（たとえば、ビットレートＡ）である場合には監視用信号によって分散量制御部１００５が適切な補償分散量の探索をおこない、この信号光が所定の高さのビットレート（たとえば、ビットレートＢあるいはＣ）の場合には主信号を用いて分散量制御部１２４が適切な補償分散量の探索をおこなうように構成してもよい。
【００８２】
（実施の形態３）
（実施の形態３にかかる光伝送システムの基本的構成）
つぎに、実施の形態３にかかる光伝送システムの基本的構成について説明する。図１１は、実施の形態３にかかる光伝送システムの基本的構成を示すブロック図である。なお、実施の形態３にかかる光伝送システムの構成のうち、実施の形態２にかかる光伝送システム６００と同様の構成については、図６と同一の符号を付して説明を省略する。
【００８３】
図１１に示すように、光伝送システム１１００は、伝送装置１と、伝送装置２と、伝送路１３０と、から構成されている。伝送装置１および伝送装置２は、それぞれ、実施の形態２における送信装置６１０および受信装置６２０の構成を備えている。すなわち、伝送装置１および伝送装置２は、それぞれ、送信機１１１と、ビットレート制御部１１２と、合波器１１３と、分波器１２１と、可変分散補償器１２２と、受信機１２３と、分散量制御部１２４と、監視用受信機６１１と、監視用送信機６２１と、を備えている。
【００８４】
さらに、伝送装置１および伝送装置２は、それぞれ、合波器１１０１と、カプラ１１０２と、分波器１１０３と、を備える。合波器１１０１は、複数の送信機１１１が送信した複数の信号光を合波器１１３が重ね合わせた信号光（主信号または監視用信号）と、監視用送信機６２１から出力された探索終了信号と、を重ね合わせる。カプラ１１０２は、合波器１１０１によって重ね合わされた信号光の経路を伝送路１３０方向に切り替える。また、カプラ１１０２は、他方の伝送装置から伝送路１３０を介して送信された信号光の経路を分波器１１０３方向に切り替える。
【００８５】
分波器１１０３は、他方の送信装置から伝送路１３０およびカプラ１１０２を介して送信された信号光を主信号と探索終了信号とに分波する。分波された主信号は分波器１２１に、探索終了信号は監視用受信機６１１に出力される。また、実施の形態３においては、伝送装置１から信号光を送信する場合と、伝送装置２から信号光を送信する場合とで異なる波長を用いることにより、一の伝送路１３０による双方向のデータ通信を可能としている。なお、伝送装置１および伝送装置２が信号光の送信および受信をおこなう際の処理は、実施の形態２で説明した処理と同様であるため、説明を省略する。
【００８６】
以上説明した、実施の形態３にかかる光伝送システム１０００によれば、一の伝送路によって双方向のデータ通信を可能にしつつ、最初は運用ビットレートよりも低いビットレートの信号光によって適切な補償分散量を大まかに探索し、その後運用ビットレートの信号光によって適切な補償分散量を高い精度で探索することができる。このため、一の伝送路によって双方向のデータ通信を可能にしつつ、分散量検出器を設けることなく、適切な補償分散量を効率的に探索することができる。
【００８７】
なお、上述の各実施の形態において、送信機１１１は、ビットレート制御部１１２の制御によって、送信する信号光のビットレートを変化させる構成としたが、実際のビットレートを変化させるのではなく、送信する信号光を制御することでビットレートを擬似的に変化させることも可能である。図１２は、送信機がビットレートを擬似的に変化させる場合を説明する説明図である。
【００８８】
図１２に示すように、送信機１１１は、たとえば、固定ビットパターンである「１１１０００１１１０００１１１０００」の信号光１２０１と、「１１００１１００１１００」の信号光１２０２と、「１０１０１０」の信号光１２０３と、を運用ビットレートで送信する。この場合、信号光１２０１の波形は、信号光１２０３を運用ビットレートの１／３のビットレートで送信した信号光と同様の信号となる。また、信号光１２０２の波形は、信号光１２０３を運用ビットレートの１／２のビットレートで送信した信号光と同様の信号となる。
【００８９】
したがって、送信機１１１は、たとえば、運用ビットレートのみを用いて、「１１１０００１１１０００１１１０００」、「１１００１１００１１００」、「１０１０１０」と送信する信号光のパターンを変化させることによって擬似的にビットレートを変化させることができる。この場合、送信する信号光の実際のビットレートを変化させる必要がないため、ビットレート制御部１１２を省くことも可能となる。
【００９０】
このように、送信機１１１は、運用ビットレートで、同じ値を複数回繰り返すビット信号列と、この値とは異なる値を複数回繰り返すビット信号列と、を交互に送信し、ビット信号列の繰り返し回数を変化させることで、運用ビットレートと異なるビットレートの信号光を擬似的に送信することができる。
【００９１】
また、上述の各実施の形態において（ここでは実施の形態１について説明する）、分散量制御部１２４は、運用ビットレートで最適な補償分散量を探索してデータ通信を開始した後に、受信機１２３の受信している信号光の受信状態を監視し続けてもよい。そして、光伝送システム１００は、送信装置１１０から送信される信号光のクロックが抽出できなくなり、またはＢＥＲがデータ通信中にしきい値５０２よりも高くなると、一度データ通信を中止し、適切な補償分散量を再度探索する。
【００９２】
この場合、光伝送システム１００は、ビットレートを再度低いビットレート（たとえば、ビットレートＡ）に変化させたり、補償分散量が０の状態から探索を始めたりしなくてもよい。たとえば、光伝送システム１００は、運用ビットレートのまま、補償分散量を補償分散量β（図５参照）から始めて再度適切な補償分散量を探索してもよい。
【００９３】
そして、光伝送システム１００は、運用ビットレートにおいて、可変分散補償器１２２の最大補償分散量Ｘまで補償分散量を変化させたにも拘わらずＢＥＲが一度もしきい値５０２より低くならなかった場合、ビットレートを低くして（たとえば、ビットレートＢ）、補償分散量αから始めて再度適切な補償分散量を探索してもよい。
【００９４】
また、上述の各実施の形態において、分散量制御部１２４は、受信機１２３が受信する信号光のビットレートのそれぞれについて、クロックが抽出され、かつ、ＢＥＲがしきい値５０２よりも低くなる補償分散量を探索したが、運用ビットレート以外のビットレートの信号光については、ＢＥＲがしきい値５０２よりも低いか否かの判断を省略してもよい。
【００９５】
たとえば、分散量制御部１２４は、運用ビットレート以外のビットレートの信号光については、それぞれクロックが抽出された時点で補償分散量の探索を終了する。一方、分散量制御部１２４は、運用ビットレートの信号光については、クロックが抽出され、かつ、ＢＥＲがしきい値５０２よりも低くなるまで補償分散量を探索する構成としてもよい。
【００９６】
以上説明したように、本発明にかかる受信装置、送信装置、受信方法および送信方法によれば、最初は運用ビットレートよりも低いビットレートの信号光によって適切な補償分散量を大まかに探索し、その後運用ビットレートの信号光によって適切な補償分散量を高い精度で探索することができる。このため、分散量検出器を設けることなく、適切な補償分散量を効率的に探索することができる。
【００９７】
また、受信装置が、あるビットレートでの適切な補償分散量の探索を終了すると送信装置に探索終了信号を送信することで、送信装置はこの探索終了信号を受信した後すぐにビットレートを変化させることができる。このため、送信装置が信号光のビットレートを変化させるまでの時間を必要最小限にすることができ、適切な補償分散量を効率的に探索することができる。
【００９８】
なお、本実施の形態で説明した受信方法および送信方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【００９９】
（付記１）複数のビットレートを送信可能な送信装置からの信号光を受信可能な受信装置であって、
入力信号光に対し、波長分散を補償する分散補償手段と、
前記分散補償手段の出力を光電変換し信号を受信するとともに、前記入力信号光のビットレートを検出する受信手段と、
前記受信手段の信号受信結果および検出されたビットレートに基づき、前記分散補償手段の分散量を制御する分散量制御手段と、
を備え、
前記分散量制御手段は、前記検出されたビットレートに応じた単位変化量Δ毎に前記分散補償手段の分散量を変化させることを特徴とする受信装置。
【０１００】
（付記２）データ通信をおこなう場合の運用ビットレートよりも低いビットレートの信号光を受信し、前記分散量制御手段が当該信号光に対する前記分散量を制御した後、前記運用ビットレートの信号光を受信することを特徴とする付記１に記載の受信装置。
【０１０１】
（付記３）前記分散量制御手段は、前記検出されたビットレートが高いほど小さい単位変化量Δ毎に前記分散量を変化させることを特徴とする付記１に記載の受信装置。
【０１０２】
（付記４）前記分散量制御手段が前記信号光に対する前記分散量を制御する毎に、送信装置に対して探索終了信号を送信する送信手段をさらに備えることを特徴とする付記１に記載の受信装置。
【０１０３】
（付記５）前記信号光の受信状態を監視する監視手段をさらに備え、
前記分散量制御手段は、前記分散量を、前記監視手段によって監視される前記受信状態が所定の受信状態となる分散量とすることを特徴とする付記１に記載の受信装置。
【０１０４】
（付記６）前記分散量制御手段は、前記分散量を、前記信号光のクロックが抽出された状態、あるいは前記信号光の前記クロックが抽出され、前記信号光のエラー状態が所定のエラー状態となる分散量とすることを特徴とする付記５に記載の受信装置。
【０１０５】
（付記７）前記分散量制御手段は、前記分散量を、前記所定のエラー状態として、前記信号光のビット誤り率が所定のしきい値よりも低い状態となる分散量とすることを特徴とする付記６に記載の受信装置。
【０１０６】
（付記８）前記分散量制御手段は、前記分散量を適当に制御できなかった場合、前記所定の前記しきい値を上げて前記分散量を再度制御することを特徴とする付記７に記載の受信装置。
【０１０７】
（付記９）前記分散量制御手段は、前記分散量を、前記単位変化量Δずつ変化させ、前記ビット誤り率が前記所定のしきい値よりも最初に低くなったときの分散量に制御することを特徴とする付記７に記載の受信装置。
【０１０８】
（付記１０）前記運用ビットレートの信号光を受信し、前記分散量制御手段が当該信号光に対する前記分散量を制御した後、前記送信装置とのデータ通信を開始することを特徴とする付記１に記載の受信装置。
【０１０９】
（付記１１）前記分散量制御手段が前記分散量を制御した結果を保持する保持手段をさらに備え、
前記監視手段は、データ通信を開始した後の前記信号光の受信状態を監視し、
前記分散量制御手段は、データ通信を開始した後に前記信号光のクロックの抽出に失敗した場合、または前記ビット誤り率が前記所定のしきい値よりも高くなった場合に、前記保持手段が保持する前記結果に基づいて、前記運用ビットレートの信号光に対する前記分散補償手段の分散量を再度制御することを特徴とする付記７に記載の受信装置。
【０１１０】
（付記１２）受信装置に対して複数のビットレートの信号光を送信可能な送信手段と、
前記送信手段が送信する前記信号光のビットレートを制御するビットレート制御手段と、
を備え、
前記ビットレート制御手段は、前記データ通信をおこなう場合の運用ビットレートよりも低いビットレートの信号光を送信し、前記受信装置が当該信号光に対する分散量を制御した後に、前記運用ビットレートの信号光を送信するように前記送信手段を制御することを特徴とする送信装置。
【０１１１】
（付記１３）前記送信手段は、前記運用ビットレートで、同じ値を複数回繰り返すビット信号列と、当該値とは異なる値を複数回繰り返すビット信号列と、を交互に送信し、当該ビット信号列の繰り返し回数を変化させることで、前記運用ビットレートよりも低いビットレートの信号光を擬似的に送信することを特徴とする付記１２に記載の送信装置。
【０１１２】
（付記１４）複数のビットレートを送信可能な送信装置からの信号光を受信する受信方法であって、
入力信号光に対し、波長分散を補償する分散補償工程と、
前記分散補償工程による出力を光電変換し信号を受信するとともに、前記入力信号光のビットレートを検出する受信工程と、
前記受信工程による信号受信結果および検出されたビットレートに基づき、前記入力信号光に対する分散量を制御する分散量制御工程とを含み、
前記分散制御工程では、前記検出されたビットレートに応じた単位変化量Δ毎に前記信号光に対する分散量を変化させることを特徴とする受信方法。
【０１１３】
（付記１５）受信装置に対して、データ通信をおこなう場合の運用ビットレートよりも低いビットレートの信号光を送信する第１の送信工程と、
前記第１の送信工程によって送信した前記信号光に対して前記受信装置が分散補償を行った後に、前記運用ビットレートの信号光を送信する第２の送信工程と、
を含むことを特徴とする送信方法。
【産業上の利用可能性】
【０１１４】
以上のように、本発明にかかる受信装置、送信装置、受信方法および送信方法は、光ファイバ通信における、波長分散によって劣化した信号光に対する分散補償に有用であり、特に、長距離、高速の光伝送をおこなう場合に適している。
【図面の簡単な説明】
【０１１５】
【図１】実施の形態１にかかる光伝送システムの基本的構成を示すブロック図である。
【図２】実施の形態１にかかる光伝送システムの処理の概要を示すシーケンス図である。
【図３】実施の形態１にかかる送信装置の処理の手順を示すフローチャートである。
【図４】実施の形態１にかかる受信装置の処理の手順を示すフローチャートである。
【図５】分散量制御部が適切な補償分散量を探索する処理の具体例を説明する説明図である。
【図６】実施の形態２にかかる光伝送システムの基本的構成を示すブロック図（その１）である。
【図７】実施の形態２にかかる光伝送システムの処理の概要を示すシーケンス図である。
【図８】実施の形態２にかかる送信装置の処理の手順を示すフローチャートである。
【図９】実施の形態２にかかる受信装置の処理の手順を示すフローチャートである。
【図１０】実施の形態２にかかる光伝送システムの基本的構成を示すブロック図（その２）である。
【図１１】実施の形態３にかかる光伝送システムの基本的構成を示すブロック図である。
【図１２】送信機がビットレートを擬似的に変化させる場合を説明する説明図である。
【符号の説明】
【０１１６】
１００  光伝送システム
１１０  送信装置
１１１  送信機
１１２  ビットレート制御部
１２０  受信装置
１２２  可変分散補償器
１２３  受信機
１２４  分散量制御部
１３０  伝送路
６１１  監視用受信機
６２１  監視用送信機
１２０１、１２０２、１２０３  信号光
【図１】
2008098975.tif 000003
【図２】
2008098975.tif 000004
【図３】
2008098975.tif 000005
【図４】
2008098975.tif 000006
【図５】
2008098975.tif 000007
【図６】
2008098975.tif 000008
【図７】
2008098975.tif 000009
【図８】
2008098975.tif 000010
【図９】
2008098975.tif 000011
【図１０】
2008098975.tif 000012
【図１１】
2008098975.tif 000013
【図１２】
2008098975.tif 000014